(57)【要約】      （修正有）【課題】非接触で光ドロップケーブルの心線対照を行う装置を提供する。【解決手段】光ドロップケーブル11,12,13の支持線（鋼心）は絶縁被覆され両端が開放状態になっているので、電力線等からの静電誘導によって電圧が発生する。被対照ケーブルと吊り線14（アース）間をドロップホルダ等において電気的に断続することによって、被対照ケーブルと吊り線間に発生する誘導電圧が断続する。静電センサでケーブルの誘導電圧の断続の有無を検知することにより被対照ケーブルが判別できる。静電誘導方式や電磁誘導方式に見られるような問題は発生せず、任意の場所において正確にケーブルの対照を行うことができる。【選択図】図１
2015102862.tif 000002
【特許請求の範囲】
【請求項１】
光ドロップケーブルの支持線（鋼心）とケーブル吊り線（アース）間を電気的に断続することによって、電力線または発振器の信号からの静電誘導により光ドロップケーブルの支持線と吊り線間に発生する誘導電圧が断続することを利用した判別方式。
【請求項２】
前記方式による光ドロップケーブル対照器。なお、静電誘導の対象とする周波数は６０Ｈｚに限定するものではない。
【発明の詳細な説明】
【技術分野】
【０００１】  本発明は光ドロップケーブルの鋼心の支持線（以下「心線」）を利用して、ドロップホルダ等と任意の地点間において非接触で心線対照を行う装置に関するものである。
【背景技術】
【０００２】  光ドロップケーブルはアースに接続された金属製ワイヤー（以下「吊り線」）に懸架される。従来の非接触心線対照装置はドロップホルダから心線と吊り線間に交流信号を印加し、静電誘導または電磁誘導によって信号を検出している。
【発明の概要】
【発明が解決しようとする課題】
【０００３】  従来の非接触心線対照装置はドロップホルダ等から心線と吊り線間に交流信号を印加し、電磁誘導または静電誘導により信号を検出することによって心線を対照しているが次のような問題がある。【０００４】  静電誘導方式は交流信号を印加した心線以外の心線にも静電誘導によって信号が誘起されるので検出レベル差が小さく判別が難しい。また、雨水などが付着した場合はセンサの検出レベルが変化するので判別を誤る可能性が高い。【０００５】  電磁誘導方式は心線と吊り線間に交流信号を印加し、心線と吊り線間の静電容量を通して流れる微弱な電流を検出するものである。この方式はケーブル長が同じ場合は非常に明確に判別することが出来るが、長さの異なるケーブルが混在する場合には検出位置によっては判別を誤る場合がある。【０００６】  本発明は、このような従来の心線対照装置が有していた問題を解決しようとするものであり、長さの異なるケーブルが混在する場合でも正確に判別できる心線対照装置を実現することを目的とするものである。
【課題を解決するための手段】
【０００７】  光ドロップケーブルは吊り線に懸架され電力線の近傍に設置される。心線が開放状態の時は静電誘導により心線と吊り線の間に５０または６０Ｈｚ（以下「６０Ｈｚ」）の電圧が誘起する。次にドロップホルダ等において心線と吊り線間を電気的に短絡すると電圧は消滅する。【０００８】  課題解決手段による作用は次のとおりである。前記ドロップホルダ等において被対照心線と吊り線間を電気的に断続する。各心線における６０Ｈｚの誘導電圧の断続の有無を検出することにより被対照心線を判別することができる。なお、断続による６０Ｈｚの電圧比は２０ｄＢ以上で明確に判別できる。【０００９】  光ドロップケーブルに発生する誘導電圧は電力線との位置関係によって、広範囲に変化するので自動利得制御が必要となるが、心線と吊線間を電気的に断続することによって自動利得制御の影響を回避することができる。【００１０】  電力線からの効果的な静電誘導がない場所や地下配線区間では、被対照心線以外の心線と吊り線等の間に発振器から６０Ｈｚの交流信号を印加することによって、前記と同様にして判別を行うことができる。
【発明の効果】
【００１１】  光ドロップケーブルの工事等において、天候や長さの異なるケーブル長が混在するなどの問題に左右されることなく正確に心線対照を行うことができ、装置も簡単かつ経済的に製作できる。
【図面の簡単な説明】
【００１２】
【図１】  ケーブル対照の概要図
【図２】  発信器のブロック図
【図３】  静電センサ
【図４】  受信器のブロック図
【発明を実施するための形態】
【００１３】  以下、本発明の実施の形態を図１〜図４に基づいて説明する。
【実施例】
【００１４】  図１は心線対照を行う場合の概略図を示す。１１〜１３は光ドロップケーブル、１４は吊り線、１５はスパイラルハンガ、１６はドロップホルダ、１７は静電センサ、１８は受信器、１９は発信器である。【００１５】  光ドロップケーブル１１〜１３はスパイラルハンガ１５を介して吊り線１４に懸架される。光ドロップケーブル１１〜１３の鋼心はドロップホルダ１６で終端され、光ファイバのみクロージャ（省略）へ配線される。【００１６】  図２は発信器のブロック図を示す。２１はタイマー、２２はリレー、２３と２４は端子、２５は発振器、２６と２７は端子である。タイマー２１は２００ミリ秒毎に断続信号をリレー２２に送り、端子２３と２４の間に断続状態を発生させる。発振器２５は電力線等から効果的な静電誘導がない場合に使用する。【００１７】  図３に静電センサの構造を示す。３１は内側がシールドされたケース、３２は電極、３３はインピーダンス変換器、３４はコード、３５はコネクタである。【００１８】  図４に受信器のブロック図を示す。４１はコネクタ、４２は自動利得制御器、４３は濾波器、４４は増幅器、４５は表示器である。
受信器は濾波器４３により雑音を除去するとともに、７０ｄＢの増幅器４４と自動利得制御器４２により広範囲な強度の誘導電圧に対応することができる。【００１９】  図１のドロップホルダ１６において、光ドロップケーブル１３の支持線と吊り線１４に発信器１９の端子２３と２４を接続して断続状態を発生させる。断の時には光ドロップケーブル１３に静電誘導により６０Ｈｚの電圧が発生し短絡時は消滅する。
静電センサと受信器により光ドロップケーブル１１〜１３において６０Ｈｚの検出を行った場合、光ドロップケーブル１１と１２は６０Ｈｚが連続的に発生しており、光ドロップケーブル１３は断続している。すなわち６０Ｈｚの誘導電圧の断続の有無によって被対照光ドロップケーブルを判別することができる。【００２０】
【産業上の利用可能性】
【００２１】  光ドロップケーブルの工事等において、現在は手探りで物理的に心線を判別しているが、本発明により簡単かつ正確にケーブルの判別ができるので作業の効率化が図られる。
【符号の説明】
【００２２】    １１  光ドロップケーブル
１２  光ドロップケーブル
１３  光ドロップケーブル
１４  吊り線（アースに接続）
１５  スパイラルハンガ
１６  ドロップホルダ
１７  静電誘導センサ
１８  受信器
１９  発信器
２１  タイマー（２００ミリ秒毎に断続）
２２  リレー
２３  端子
２４  端子
２５  発振器
２６  端子
２７  端子
３１  ケース（シールド）
３２  電極
３３  インピーダンス変換器
３４  出力コード
３５  コネクタ
４１  コネクタ
４２  利得制御
４３  濾波器
４４  増幅器
４５  表示器（ＬＥＤ、ブザー）
【図１】
2015102862.tif 000003
【図２】
2015102862.tif 000004
【図３】
2015102862.tif 000005
【図４】
2015102862.tif 000006